(57)【要約】      （修正有）【課題】コンパクトに畳んでスマートに携帯することができると共に、外観品質が劣らず帽子のデザインも制限することがない折り畳み携帯可能帽子を提供する。【解決手段】折り畳み携帯可能帽子１０は帽子本体１２と鍔部１４とから構成されている。帽子本体１２は平面視円形状の頭頂パーツ部１６と、この頭頂パーツ部１６の下方に配設された側パーツ部１８から形成されている。頭頂パーツ部１６の裏側には平面視円形状の頭頂裏側パーツ部が配設されている。頭頂パーツ部１６と頭頂裏側パーツ部の間にはポケット部が設けられている。頭頂裏側パーツ部にはスリットが形成され、スリットはリバーシブルファスナーで開閉される。ポケット部内にはカラビナが取り付けられている。側パーツ部１８には消臭機能効果を有する消臭機能ネーム３６が取り付けられている。【選択図】図１
0003165093.tif 000002
【実用新案登録請求の範囲】
【請求項１】
帽子本体と、この帽子本体に取り付けられる鍔部と、前記帽子本体を構成すると共に帽子本体の頂部に設けられた頭頂パーツ部と、この頭頂パーツ部の下方に連続して設けられた頭側パーツ部と、前記頭頂パーツ部の裏側に配設された頭頂裏側パーツ部と、前記頭頂パーツ部と頭頂裏側パーツ部の間に形成されたポケット部と、前記頭頂裏側パーツ部に形成されたスリットと、前記ポケット部内に取り付けられた係止具と、を設けてなることを特徴とする折り畳み携帯可能帽子。
【請求項２】
帽子本体と、この帽子本体に取り付けられる鍔部と、前記帽子本体を構成すると共に帽子本体の頂部に設けられた頭頂パーツ部と、この頭頂パーツ部の下方に連続して設けられた頭側パーツ部と、前記頭頂パーツ部の裏側に配設された頭頂裏側パーツ部と、前記頭頂パーツ部と頭頂裏側パーツ部の間に形成されたポケット部と、前記頭頂裏側パーツ部に形成されたスリットと、このスリットに設けられたファスナーと、前記ポケット部内に取り付けられた係止具と、を設けてなることを特徴とする折り畳み携帯可能帽子。
【請求項３】
帽子本体と、この帽子本体に取り付けられる鍔部と、前記帽子本体を構成すると共に帽子本体の頂部に設けられた頭頂パーツ部と、この頭頂パーツ部の裏面に着脱可能に取り付けられた布地と、前記頭頂パーツ部の下方に連続して設けられた頭側パーツ部と、前記頭頂パーツ部の裏側に配設された頭頂裏側パーツ部と、前記頭頂パーツ部と頭頂裏側パーツ部の間に形成されたポケット部と、前記頭頂裏側パーツ部に形成されたスリットと、このスリットに設けられたファスナーと、前記ポケット部内に取り付けられた係止具と、を設けてなることを特徴とする折り畳み携帯可能帽子。
【請求項４】
前記帽子本体又は前記鍔部の少なくとも一方に設けられた消臭機能体と、を設けてなることを特徴とする請求項１〜請求項３のいずれか１項に記載の折り畳み携帯可能帽子。
【考案の詳細な説明】
【技術分野】
【０００１】
本考案は、帽子を携帯する場合にコンパクトに折り畳んで携帯することができると共に帽子の外観品質が低下しない折り畳み携帯可能帽子に関する。
【背景技術】
【０００２】
従来からキャップ型の帽子やハット型の帽子は広く知られて広く使用されている。
しかし、従来の帽子は帽子を被らない場合で携帯する場合は手に持ったりバッグ等に入れて携帯しているが、手に持ったりバッグ等に入れて携帯する場合は帽子が嵩張り邪魔になると共に煩わしいという不具合がある。
そこで、帽子の帽子本体の正面側にポケット部を露出して設け、帽子を被らない場合は前記ポケット部に帽子本体及び鍔部を折り畳んでコンパクトな状態で帽子を携帯することができる帽子が提案されている（特許文献１）。
しかし、このタイプの帽子は帽子本体の正面側にポケット部が露出して設けられているので、帽子を被った場合に外観品質が劣ると共に露出したポケット部が帽子のデザインを制限する要因になるという不具合がある。
【先行技術文献】
【特許文献】
【０００３】
【特許文献１】特開平８−２７６１２号公報
【考案の概要】
【考案が解決しようとする課題】
【０００４】
本考案は、上記事実に鑑みなされたものであり、帽子を携帯する場合はコンパクトに畳んでスマートに携帯することができると共に外観品質が劣らず帽子のデザインも制限することがない折り畳み携帯可能帽子を提供するものである。
【課題を解決するための手段】
【０００５】
請求項１の考案は、帽子本体と、この帽子本体に取り付けられる鍔部と、前記帽子本体を構成すると共に帽子本体の頂部に設けられた頭頂パーツ部と、この頭頂パーツ部の下方に連続して設けられた頭側パーツ部と、前記頭頂パーツ部の裏側に配設された頭頂裏側パーツ部と、前記頭頂パーツ部と頭頂裏側パーツ部の間に形成されたポケット部と、前記頭頂裏側パーツ部に形成されたスリットと、前記ポケット部内に取り付けられた係止具と、を設けてなることを特徴としている。
請求項２の考案は、帽子本体と、この帽子本体に取り付けられる鍔部と、前記帽子本体を構成すると共に帽子本体の頂部に設けられた頭頂パーツ部と、この頭頂パーツ部の下方に連続して設けられた頭側パーツ部と、前記頭頂パーツ部の裏側に配設された頭頂裏側パーツ部と、前記頭頂パーツ部と頭頂裏側パーツ部の間に形成されたポケット部と、前記頭頂裏側パーツ部に形成されたスリットと、このスリットに設けられたファスナーと、前記ポケット部内に取り付けられた係止具と、を設けてなることを特徴としている。
請求項３の考案は、帽子本体と、この帽子本体に取り付けられる鍔部と、前記帽子本体を構成すると共に帽子本体の頂部に設けられた頭頂パーツ部と、この頭頂パーツ部の裏面に着脱可能に取り付けられた布地と、前記頭頂パーツ部の下方に連続して設けられた頭側パーツ部と、前記頭頂パーツ部の裏側に配設された頭頂裏側パーツ部と、前記頭頂パーツ部と頭頂裏側パーツ部の間に形成されたポケット部と、前記頭頂裏側パーツ部に形成されたスリットと、このスリットに設けられたファスナーと、前記ポケット部内に取り付けられた係止具と、を設けてなることを特徴としている。
請求項４の考案は、前記帽子本体又は前記鍔部の少なくとも一方に設けられた消臭機能体と、を設けてなることを特徴としている。
【考案の効果】
【０００６】
本考案の折り畳み携帯可能帽子は、コンパクトに折り畳むことができて携帯に便利であると共にポケット部が露出しないので外観品質が低下せず、さらには帽子のデザインに制限を与えないという優れた効果を有する。
請求項３の本考案の折り畳み携帯可能帽子は、上記優れた効果の他に汗等を拭くことができるという優れた効果を有する。
請求項４の本考案の折り畳み携帯可能帽子は、上記優れた効果の他に帽子の臭い等を消臭することができるという優れた効果を有する。
【図面の簡単な説明】
【０００７】
【図１】第１実施例の折り畳み携帯可能帽子の全体斜視図である。
【図２】第１実施例の折り畳み携帯可能帽子の底面図である。
【図３】第１実施例の折り畳み携帯可能帽子のスリットを開いた状態の底面図である。
【図４】第１実施例の折り畳み携帯可能帽子を畳んでいる途中状態図である。
【図５】第１実施例の折り畳み携帯可能帽子をコンパクトに折り畳んだ状態の正面図である。
【図６】第１実施例の折り畳み携帯可能帽子をコンパクトに折り畳んだ状態の背面図である。
【図７】第２実施例の折り畳み携帯可能帽子のスリットを開いた状態の底面図である。
【図８】第２実施例の折り畳み携帯可能帽子をコンパクトに折り畳んだ状態の正面図である。
【図９】他の実施例を示す折り畳み携帯可能帽子の全体斜視図である。
【考案を実施するための形態】
【０００８】
考案を実施するために最良の形態の例として以下のような実施例を示す。
【実施例１】
【０００９】
図１〜図６には本考案に係る折り畳み携帯可能帽子の第１実施例が示されている。なお、第１実施例の折り畳み携帯可能帽子１０はキャップ型の帽子に適用した場合を例にして説明する。
図１に示されるように、本考案の折り畳み携帯可能帽子１０は帽子本体１２と、この帽子本体１２の前部に設けられた鍔部１４とから構成されている。
前記帽子本体１２は適宜素材の布地で形成された平面視円形状の頭頂パーツ部１６と、この頭頂パーツ部１６の下方に配設された適宜素材の布地で形成された側パーツ部１８を縫製して形成されている。
図２及び図３に示されるように、前記頭頂パーツ部１６の裏側には適宜素材の布地で形成された平面視円形状の頭頂裏側パーツ部２０が配設されている。
図３に示されるように、前記頭頂パーツ部１６と頭頂裏側パーツ部２０の間にはポケット部２２が設けられている。また、頭頂裏側パーツ部２０にはスリット２４が形成されており、スリット２４の縁部にはリバーシブルファスナー２６が設けられている。従って、ファスナースライダー２８をスライドさせることにより前記スリット２４を開閉できるようになっている。
図３に示されるように、前記ポケット部２２内には係止具取付紐３０が取り付けられている。この係止具取付紐３０には係止具としてのカラビナ３２が取り付けられている。このカラビナ３２はポケット部２２から露出させることができるようになっている。
図２及び図３に示されるように、前記側パーツ部１８の下部内側にはスベリ３４が側パーツ部１８の周方向に沿って取り付けられている。
図１に示されるように、前記側パーツ部１８には消臭機能効果を有する公知の糸で矩形状に織られた布状の消臭機能体３６が図示しない適宜固定手段を介して取り付けられている。
【００１０】
次に、第１実施例の折り畳み携帯可能帽子１０の作用について説明する。
第１実施例の折り畳み携帯可能帽子１０を頭に被る場合は、頭を帽子本体１２に入れて被る。
前記折り畳み携帯可能帽子１０のポケット部２２は頭頂パーツ部１６と頭頂裏側パーツ部２０との間に設けられているので、図１に示されるように折り畳み携帯可能帽子１０の外側にポケット部２２が露出することはない。このため、外観上はポケット部を設けていない帽子と同じであるので、折り畳み携帯可能帽子１０を被った場合に外観品質が低下することはない。
また、折り畳み携帯可能帽子１０をデザインする場合にポケット部２２の存在により制限を受けたりすることはないのでポケット部を設けない帽子と同様に自由にデザインすることができる。
前記折り畳み携帯可能帽子１０を被らないで携帯する場合はリバーシブルファスナー２６のファスナースライダー２８をスライドさせてスリット２４を大きく開き、図４に示されるように帽子本体１２、鍔部１４を小さく折り畳むようにして前記頭頂パーツ部１６と頭頂裏側パーツ部２０とで畳んだ帽子本体１２、鍔部１４と消臭機能体３６を包み込む。
そして、前記ファスナースライダー２８をスライドさせてスリット２４を閉じる。
これにより、図５及び図６に示されるように折り畳み携帯可能帽子１０をコンパクトな円板状に折り畳むことができる。前記折り畳み携帯可能帽子１０をコンパクトな円板状に折り畳んだ場合に前記カラビナ３２は露出するので、カラビナ３２をベルトループ（図示せず）やバッグ（図示せず）等に係止すれば折り畳み携帯可能帽子１０を手に持つ必要はないので煩わしくなく簡単に携帯することができ便利である。
なお、前記折り畳み携帯可能帽子１０をコンパクトな円板状に折り畳んだ場合、前記消臭機能体３６も前記頭頂パーツ部１６と頭頂裏側パーツ部２０の間に収容されるので帽子本体１２や鍔部１４についた汗の臭いや調髪剤の臭い等を消臭することができる。従って、次に折り畳み携帯可能帽子１０を被る場合気持ちよく被ることができる。
【００１１】
図７及び図８には第２実施例の折り畳み可能携帯帽子４０が示されている。なお、第１実施例の折り畳み携帯可能帽子１０と同一の構成は同一の符号を用いてその説明を省略する。
図７に示されるように、第２実施例の折り畳み可能携帯帽子４０の頭頂パーツ部１６の裏面には布地としてのタオル地４２が着脱可能に取り付けられている。
図８に示されるようにこのタオル地４２は前記頭頂パーツ部１６と同様に円形状に形成されている。
前記頭頂パーツ部１６の裏面と前記タオル地４２の裏面にはそれぞれ布地係止体としてのマジックテープ４４（登録商標）がそれぞれ取り付けられている。
従って、第２実施例の折り畳み可能携帯帽子４０をコンパクトに折り畳むと図８に示されるように、前記タオル地４２が露出するのでタオル地４２で汗や埃等を拭き取ることができ便利である。
なお、タオル地４２はマジックテープ４４（登録商標）で着脱可能に頭頂パーツ部１６に取り付けられているのでタオル地４２が汚れた場合は取り外して簡単に洗濯することができる。
なお、他の構成及び作用は第１実施例の折り畳み可能携帯帽子１０と同一であるのでその説明は省略する。
【００１２】
なお、第１実施例及び第２実施例ではキャップ型の帽子を使用して折り畳み可能携帯帽子１０，４０を示したが、折り畳み可能携帯帽子１０，４０が適用される帽子は図９に示されるようなハット型の帽子５０でもよいことは勿論である。
また、実施例では係止具としてカラビナ３２を示したが係止具はカラビナ３２に限定されるものでないことは勿論である。
なお、実施例では消臭機能体３６を帽子本体１２の側パーツ部１８に取り付けたが消臭機能体３６の取付部分は他の部分でもよいことは勿論である。
また、第２実施例では布地としてタオル地４２を使用したが布地であればタオル地に限定されないことは勿論である。
【産業上の利用可能性】
【００１３】
本考案の折り畳み携帯可能帽子は、キャップ型、ハット型をはじめとして色々な型の帽子にも使用するができる。
【符号の説明】
【００１４】
１０    折り畳み携帯可能帽子
１２    帽子本体
１４    鍔部
１６    頭頂パーツ部
１８    側パーツ部
２０    頭頂裏側パーツ部
２２    ポケット部
２４    スリット
２６    リバーシブルファスナー
２８    ファスナースライダー
３０    係止具取付紐
３２    カラビナ
３４    スベリ
３６    消臭機能体
【図１】
0003165093.tif 000003
【図２】
0003165093.tif 000004
【図３】
0003165093.tif 000005
【図４】
0003165093.tif 000006
【図５】
0003165093.tif 000007
【図６】
0003165093.tif 000008
【図７】
0003165093.tif 000009
【図８】
0003165093.tif 000010
【図９】
0003165093.tif 000011